(57)【要約】【課題】原子力発電所の建屋などに複数配置されたブローアウトパネルが開放されたときに開口部を塞ぐための遮蔽扉を、周囲と干渉しないように設置する。【解決手段】遮蔽扉は、建屋に複数配置されたブローアウトパネルが開放された後の一の開口部を塞ぐための開閉板と、前記開閉板が回動可能に設けられ前記開口部の周縁の取付範囲にそこから出ないように取付可能な枠体と、前記開閉板が前記開口部を延長した空間に存在しないように開いた状態を維持する開手段と、前記開手段が解除されたときに前記開閉板で前記開口部を密閉するために介在させるシール材と、を有し、前記開手段は、前記枠体に固定された支持材に係止することで前記開閉板を水平に保持し、前記ブローアウトパネルが開放された後に前記支持材への係止が外れた前記開閉板を前記シール材に押し付けるための弾性体を備える。【選択図】図１
2020070671.tif 000002
【特許請求の範囲】
【請求項１】
建屋に複数配置されたブローアウトパネルが開放された後の一の開口部を塞ぐための開閉板と、
前記開閉板が回動可能に設けられ前記開口部の周縁の取付範囲にそこから出ないように取付可能な枠体と、
前記開閉板が前記開口部を延長した空間に存在しないように開いた状態を維持する開手段と、
前記開手段が解除されたときに前記開閉板で前記開口部を密閉するために介在させるシール材と、を有し、
前記開手段は、前記枠体に固定された支持材に係止することで前記開閉板を水平に保持し、前記ブローアウトパネルが開放された後に前記支持材への係止が外れた前記開閉板を前記シール材に押し付けるための弾性体を備える、
ことを特徴とする遮蔽扉。
【請求項２】
建屋に複数配置されたブローアウトパネルが開放された後の一の開口部を塞ぐための開閉板と、
前記開閉板が回動可能に設けられ前記開口部の周縁の取付範囲にそこから出ないように取付可能な枠体と、
前記開閉板が前記開口部を延長した空間に存在しないように開いた状態を維持する開手段と、
前記開手段が解除されたときに前記開閉板で前記開口部を密閉するために介在させるシール材と、を備え、
前記開手段は、前記枠体と前記開閉板とをリニアアクチュエータで繋ぐことで前記開閉板を水平に保持し、前記ブローアウトパネルが開放された後に前記開閉板を前記リニアアクチュエータによって前記シール材に押し付ける、
ことを特徴とする遮蔽扉。
【請求項３】
建屋に複数配置されたブローアウトパネルが開放された後の一の開口部を塞ぐための開閉板と、
前記開閉板が回動可能に設けられ前記開口部の周縁の取付範囲にそこから出ないように取付可能な枠体と、
前記開閉板が前記開口部を延長した空間に存在しないように開いた状態を維持する開手段と、
前記開手段が解除されたときに前記開閉板で前記開口部を密閉するために介在させるシール材と、を備え、
前記開手段は、前記枠体に固定された支持材に係止することで前記開閉板を水平に保持し、
前記シール材に傾斜面を設けることにより、前記ブローアウトパネルが開放された後に前記支持材への係止が外れた前記開閉板がその自重によって前記シール材の傾斜面に押し付けられる、
ことを特徴とする遮蔽扉。
【請求項４】
前記シール材は、感圧ゴムであり、前記開閉板による押付圧力を遠隔監視可能に出力する、
ことを特徴とする請求項１乃至３の何れか一に記載の遮蔽扉。
【発明の詳細な説明】
【技術分野】
【０００１】
本発明は、原子力発電所の建屋などに設けたブローアウトパネルが開放されたときに開口部を塞ぐための遮蔽扉に関する。
【背景技術】
【０００２】
原子力発電所など原子力施設においては、原子炉建屋やタービン建屋の壁に予め開口部を設け、ブローアウトパネル（破裂板式安全装置）で塞いでいる。放射性物質を含む水蒸気などが原子炉格納容器などから漏洩したとしても気密性は維持されているが、建屋内の圧力が急激に増加した場合に、建屋全体の爆発を避けるためにブローアウトパネルを開放して圧力を逃がす構造を取っている。
【０００３】
ブローアウトパネルは、建屋内の圧力上昇により建屋に固定するための部材が変形することで外れ、建屋の外側に落下するタイプと、主蒸気建屋内の圧力上昇により中央部が開裂し、周辺部分が塑性変形して外周部に拡がることで中央部が開口するタイプのものがある。特許文献１に記載されているように、全電源喪失状態でも遠隔からブローアウトパネルを開放でき、設置に際しては建屋外部から施工することができるブローアウトパネル開放装置の発明も開示されている。
【０００４】
建屋内に放射性物質があれば、ブローアウトパネルの開放により大気にも漏洩するおそれがある。建屋が爆発するよりは放射性物質の漏洩は少なくて済むと考えられるが、ブローアウトパネルを開放したままだと、徐々に放射性物質が大気に漏洩していくため、建屋内の圧力が下がったら開口部を塞ぐ必要性が生じる。特許文献２に記載しているように、原子力発電所の建屋などに設けたブローアウトパネルが開放されたときに開口部を塞ぐための遮蔽扉の気密維持機構の発明も開示している。
【先行技術文献】
【特許文献】
【０００５】
【特許文献１】特許第６１６５５８７号公報
【特許文献２】特願２０１８−１１５７７２号
【発明の概要】
【発明が解決しようとする課題】
【０００６】
原子炉建屋で発生させた蒸気は、主蒸気管トンネル室を介してタービン建屋に送られ、発電に利用されるが、主蒸気管トンネル室のブローアウトパネルは、壁一面に密集して複数個が設置されている。しかしながら、特許文献２に記載の遮蔽扉は、横方向にスライドさせて開口部を塞いでおり、複数のブローアウトパネルが密集している場合や、建屋との間隔が狭く既設構造物等と干渉する場合など、設置するスペースが無いケースもある。
【０００７】
そこで、本発明は、原子力発電所の建屋などに密集、隣接、場合によっては不規則に複数配置されたブローアウトパネルが開放されたときに開口部を塞ぐための遮蔽扉を、周囲と干渉しないように設置することを目的とする。
【課題を解決するための手段】
【０００８】
上記の課題を解決するために、本発明である遮蔽扉は、建屋に複数配置されたブローアウトパネルが開放された後の一の開口部を塞ぐための開閉板と、前記開閉板が回動可能に設けられ前記開口部の周縁の取付範囲にそこから出ないように取付可能な枠体と、前記開閉板が前記開口部を延長した空間に存在しないように開いた状態を維持する開手段と、前記開手段が解除されたときに前記開閉板で前記開口部を密閉するために介在させるシール材と、を有し、前記開手段は、前記枠体に固定された支持材に係止することで前記開閉板を水平に保持し、前記ブローアウトパネルが開放された後に前記支持材への係止が外れた前記開閉板を前記シール材に押し付けるための弾性体を備える、ことを特徴とする。
【０００９】
また、本発明である遮蔽扉は、建屋に複数配置されたブローアウトパネルが開放された後の一の開口部を塞ぐための開閉板と、前記開閉板が回動可能に設けられ前記開口部の周縁の取付範囲にそこから出ないように取付可能な枠体と、前記開閉板が前記開口部を延長した空間に存在しないように開いた状態を維持する開手段と、前記開手段が解除されたときに前記開閉板で前記開口部を密閉するために介在させるシール材と、を備え、前記開手段は、前記枠体と前記開閉板とをリニアアクチュエータで繋ぐことで前記開閉板を水平に保持し、前記ブローアウトパネルが開放された後に前記開閉板を前記リニアアクチュエータによって前記シール材に押し付ける、ことを特徴とする。
【００１０】
また、本発明である遮蔽扉は、建屋に複数配置されたブローアウトパネルが開放された後の一の開口部を塞ぐための開閉板と、前記開閉板が回動可能に設けられ前記開口部の周縁の取付範囲にそこから出ないように取付可能な枠体と、前記開閉板が前記開口部を延長した空間に存在しないように開いた状態を維持する開手段と、前記開手段が解除されたときに前記開閉板で前記開口部を密閉するために介在させるシール材と、を備え、前記開手段は、前記枠体に固定された支持材に係止することで前記開閉板を水平に保持し、前記シール材に傾斜面を設けることにより、前記ブローアウトパネルが開放された後に前記支持材への係止が外れた前記開閉板がその自重によって前記シール材の傾斜面に押し付けられる、ことを特徴とする。
【００１１】
さらに前記遮蔽扉において、前記シール材は、感圧ゴムであり、前記開閉板による押付圧力を遠隔監視可能に出力する、ことを特徴とする。
【発明の効果】
【００１２】
本発明によれば、原子力発電所の建屋などに密集・隣接して複数配置されたブローアウトパネルが開放されたときに、お互いに干渉することなく、各開口部を塞ぐことができる。建屋内の圧力が逃げた後に、遮蔽扉を押し付けるように開口部を密閉することで、放射性物質が徐々に大気へ漏洩していくのを抑えることができる。
【００１３】
ブローアウトパネルごとに遮蔽扉を取り付けるので、開口部が不規則な配置でも取り付けることが可能であり、さらに小型軽量化することができるので、作業スペースが狭くても取り付けることができる。また、遮蔽扉ごとに交換などメンテナンスすることができる。
【図面の簡単な説明】
【００１４】
【図１】本発明である遮蔽扉を備えたブローアウトパネルが複数配置された建屋を示す正面図及び側面図である。
【図２】本発明である遮蔽扉を支持した状態を示す斜視図である。
【図３】本発明である遮蔽扉で開口部を塞いだ状態を示す斜視図である。
【図４】本発明である遮蔽扉を支持した状態を示す斜視図である。
【図５】本発明である遮蔽扉を支持した状態を示す斜視図である。
【図６】本発明である遮蔽扉を支持した状態を示す斜視図である。
【図７】本発明である遮蔽扉を支持した状態を示す斜視図である。
【図８】本発明である遮蔽扉で開口部を塞いだ状態を示す斜視図である。
【発明を実施するための形態】
【００１５】
以下に、本発明の実施形態について図面を参照して詳細に説明する。なお、同一機能を有するものは同一符号を付け、その繰り返しの説明は省略する場合がある。
【実施例１】
【００１６】
まず、本発明である遮蔽扉について説明する。図１は、遮蔽扉を備えたブローアウトパネルが複数配置された建屋を示す（ａ）正面図及び（ｂ）側面図である。図２は、遮蔽扉を支持した状態を示す斜視図である。図３は、遮蔽扉で開口部を塞いだ状態を示す斜視図である。図４は、遮蔽扉を支持した状態を示す斜視図である。
【００１７】
図１（ａ）に示すように、建屋１００は、原子力施設における原子炉建屋やタービン建屋であり、安全装置としてブローアウトパネル２００を備える。原子炉建屋で発生させた蒸気は、主蒸気管を通ってタービン建屋に送られ、発電に利用される。高圧の蒸気等により建屋１００内の圧力が急激に高くなった場合、ブローアウトパネル２００を破裂させて圧力を開放することにより、建屋１００全体の爆発を回避する。
【００１８】
図１（ｂ）に示すように、建屋１００に設けたブローアウトパネル２００が高圧の蒸気等により吹き飛ばされると、それにより空いた開口部によって建屋１００内の気密性が失われるため、建屋１００内の圧力が下がった後に、遮蔽扉３００で開口部を塞ぐ。これにより、原子炉格納容器などから放射性物質が漏洩したとしても、建屋１００内の気密性を維持することが可能となる。
【００１９】
ブローアウトパネル２００は、建屋１００の壁面に空けられた開口部を塞ぐように破裂板が取り付けられ、圧力開放時は建屋１００の外側へ飛ばされて落下する。遮蔽扉３００は、建屋１００の外側に開いた状態で保持され、ブローアウトパネル２００が外れた開口部を塞ぐように閉じられる。
【００２０】
例えば、主蒸気管トンネル室においては、壁面に複数の開口部が密集するように空けられ、それぞれにブローアウトパネル２００が設けられる。１つの大きな開口部を区分して複数の小さな開口部として配列される。複数の開口部をまとめて塞ぐ遮蔽扉３００を取り付けても良いし、開口部ごとに遮蔽扉３００を取り付けても良い。
【００２１】
しかし、開口部が不規則に配置される場合もあり、さらに、主蒸気管トンネル室と建屋との間にはスペースが少ないため、サイズが大きくて重量のある遮蔽扉３００を取り付けるのは困難である。また、個別に遮蔽扉３００を取り付ける場合には、区分されていることから取り付ける範囲に制限が生じる。
【００２２】
図２及び図３に示すように、ブローアウトパネル２００が設けられた開口部１１０ごとに遮蔽扉３００を取り付ける。遮蔽扉３００は、開口部１１０の周縁に着脱可能に取り付けられるが、隣接する他の開口部にも別の遮蔽扉が取り付けられることから、周囲に干渉しないように取付範囲１２０からはみ出さないようにサイズが制限される。また、遮蔽扉３００を開閉させたときに、隣接する建屋との間隔に収まるようにサイズが制限される。
【００２３】
遮蔽扉３００は、開口部１１０を塞ぐための開閉板３２０、開閉板３２０が回動可能に設けられた枠体３１０、開閉板３２０を開いた状態で維持するための開手段、開閉板３２０で開口部１１０を密閉するために介在させるシール材３３０等を有する。
【００２４】
開閉板３２０は、枠体３１０の上部に蝶番等のヒンジ３４０によって、上（水平状態）から下（垂直状態）へ回動可能に設けられた金属等の扉である。上に開いた状態においては、開閉板３２０が水平に保持されれば良い。下に閉じた状態においては、シール材３３０に押し付けられれば良い。なお、開閉板３２０を下（水平状態）から上（垂直状態）へ回動可能に設けても良い。また、縦方向ではなく横方向に回動可能に設けても良い。例えば、枠体３１０の左部又は右部において開口部１１０と直角な状態から、開口部１１０と平行な状態に回動させても良い。
【００２５】
枠体３１０は、開口部１１０と同様に内部が空いた枠であり、開口部１１０に合わせて取り付けても取付範囲１２０からはみ出さない。なお、開閉板３２０、シール材３３０、ヒンジ３４０、支持材３５０、ガススプリング３６０、及びラッチ３７０についても、取付範囲１２０を建屋１００の外側へ延長した空間内に収まる。
【００２６】
開手段は、枠体３１０に固定された支持材３５０に対しラッチ３７０により開閉板３２０を係止することで、開閉板３２０を水平に保持する。ブローアウトパネル２００が開放された後に、ラッチ３７０を外して支持材３５０への係止が解除された開閉板３２０をシール材３３０に押し付けるための弾性体としてガススプリング３６０を備える。
【００２７】
ガススプリング３６０は、圧縮空気の弾力性を利用した空気バネである。例えば、ガススプリング３６０の一端（シリンダ）を支持材３５０に、他端（ピストン）を開閉板３２０に固定する。ガススプリング３６０は、開閉板３２０の側面の片側だけでも良いし、両側に付けても良い。
【００２８】
開閉板３２０を開いてガススプリング３６０を収縮（空気を圧縮）させた状態でラッチ３７０により係止する（図２）。ラッチ３７０を外すと開閉板３２０の自重に加えてガススプリング３６０が伸張して開閉板３２０が閉じられ、さらにシール材３３０に開閉板３２０を押し付ける（図３）。
【００２９】
ラッチ３７０は、開閉板３２０を支持材３５０に係止するための留金である。例えば、支持材３５０を枠体３１０から水平に突出させておけば、開閉板３２０を支持材３５０に沿って係止すれば、開閉板３２０を水平に保持することが可能である。ラッチ３７０は、支持材３５０の長さを短くして開閉板３２０の根元側で留めても良いし、長く延ばして先端側で留めても良い。
【００３０】
ブローアウトパネル２００の状態を遠隔監視し、ブローアウトパネル２００が開放されたときに、遠隔操作でラッチ３７０を解除すれば、開閉板３２０閉じることも可能である。開口部１１０全体を閉じても良いし、空いた部分だけ個別に閉じても良い。なお、閉じた開閉板３２０を開くときは手動で水平位置まで戻し、支持材３５０に対してラッチ３７０により係止する。
【００３１】
シール材３３０は、枠体３１０と開閉板３２０とが重なる部分に配置することで、開閉板３２０を閉じたときに開口部１１０を気密するためのパッキング等である。シール材３３０も枠体３１０に沿って内部が空いており、開閉板３２０を開いた状態においては、建屋１００内の圧力と共にブローアウトパネル２００が通過するように、開口部１１０を建屋１００の外側へ延長した空間には何も存在しない。
【００３２】
シール材３３０として感圧ゴムを使用して、開閉板３２０による押付圧力を信号出力させることで、複数の遮蔽扉３００の開閉状態を遠隔監視することが可能となる。気密性能が低下した場合には、事前に点検するなど予防保全に利用することができる。感圧ゴムではなく、リミットスイッチを設けて信号を取得しても良い。
【００３３】
図４に示すように、建屋１００内が高温になる等、ガススプリング３６０に適した環境でない場合、ガススプリング３６０の代わりにバネ３６０ａを使用しても良い。バネ３６０ａとしては、コイルバネ等を用いれば良い。
【００３４】
例えば、バネ３６０ａの一端を枠体３１０に、他端を開閉板３２０に固定する。開閉板３２０を開いてバネ３６０ａを伸ばして付勢させた状態でラッチ３７０により係止する。ラッチ３７０を外すとバネ３６０ａが元に戻って開閉板３２０を引き寄せ、さらにシール材３３０に開閉板３２０を押し付ける。
【実施例２】
【００３５】
図５は、遮蔽扉を支持した状態を示す斜視図である。図５に示すように、ガススプリング３６０やバネ３６０ａの代わりにリニアアクチュエータ３６０ｂを使用しても良い。なお、支持材３５０及びラッチ３７０は不要となる。熱や電磁気の影響を受けにくいものが好ましい。
【００３６】
リニアアクチュエータ３６０ｂは、電動、油圧、水圧又は空圧などで直線往復運動させるための装置である。電動であれば、移動速度や停止位置などを細かく制御することが可能である。例えば、リニアアクチュエータ３６０ｂの一端（シリンダ）を枠体３１０に、他端（ピストン）を開閉板３２０に固定する。リニアアクチュエータ３６０ｂを伸ばして開閉板３２０を開いた状態にする。リニアアクチュエータ３６０ｂを縮めれば開閉板３２０が閉じられ、さらにシール材３３０に押し付けられる。なお、遠隔操作で定期点検等の動作チェックを実施することが可能である。
【実施例３】
【００３７】
図６は、遮蔽扉を支持した状態を示す斜視図である。図７は、遮蔽扉を支持した状態を示す斜視図である。図８は、遮蔽扉で開口部を塞いだ状態を示す斜視図である。図６に示すように、ガススプリング３６０やバネ３６０ａやリニアアクチュエータ３６０ｂを使用せずに、支持材３５０とラッチ３７０だけでも良い。
【００３８】
例えば、開閉板３２０を開いて支持材３５０に対してラッチ３７０により係止する。ラッチ３７０を外すと開閉板３２０が自重により閉じられる。開閉板３２０をシール材３３０に押し付けるために、下ラッチ３７０ａで係止しても良い。開閉板３２０がシール材３３０に衝突した際に下ラッチ３７０ａでロックして、押し付けられた状態が維持されれば良い。
【００３９】
また、図７及び図８に示すように、枠体３１０とシール材３３０の間に傾斜枠３１０ａを介すことにより、シール材３３０に傾斜面を設ける。開閉板３２０も閉じたときに傾斜した状態となり、シール材３３０の傾斜面を押し付けるので、下ラッチ３７０ａが不要となる。
【００４０】
開閉板３２０が鉛直の場合、下ラッチ３７０ａで係止しないと開いてしまう可能性があるが、傾斜枠３１０ａにより角度を付ければ、開閉板３２０の自重により開きにくくなる。傾斜枠３１０ａの角度は、０度より大きく、４５度以下（５〜３０度程度）にすれば良い。
【００４１】
なお、シール材３３０を傾斜させても、開口部１１０を建屋１００の外側へ延長した空間は確保する。傾斜枠３１０ａの角度を大きくした場合には、シール材３３０の傾斜面の下部まで塞ぐには長さが足りなくなるので、開閉板３２０の長さを延ばしても良い。
【００４２】
本発明によれば、原子力発電所の建屋などに密集・隣接して複数配置されたブローアウトパネルが開放されたときに、お互いに干渉することなく、各開口部を塞ぐことができる。建屋内の圧力が逃げた後に、遮蔽扉を押し付けるように開口部を密閉することで、放射性物質が徐々に大気へ漏洩していくのを抑えることができる。
【００４３】
ブローアウトパネルごとに遮蔽扉を取り付けるので、開口部が不規則な配置でも取り付けることが可能であり、さらに小型軽量化することができるので、作業スペースが狭くても取り付けることができる。また、遮蔽扉ごとに交換などメンテナンスすることができる。
【００４４】
以上、本発明の実施例を述べたが、これらに限定されるものではない。
【符号の説明】
【００４５】
１００：建屋
１１０：開口部
１２０：取付範囲
２００：ブローアウトパネル
３００：遮蔽扉
３１０：枠体
３１０ａ：傾斜枠
３２０：開閉板
３３０：シール材
３４０：ヒンジ
３５０：支持材
３６０：ガススプリング
３６０ａ：バネ
３６０ｂ：リニアアクチュエータ
３７０：ラッチ
３７０ａ：下ラッチ
【図１】
2020070671.tif 000003
【図２】
2020070671.tif 000004
【図３】
2020070671.tif 000005
【図４】
2020070671.tif 000006
【図５】
2020070671.tif 000007
【図６】
2020070671.tif 000008
【図７】
2020070671.tif 000009
【図８】
2020070671.tif 000010
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
建屋に複数配置されたブローアウトパネルが開放された後の一の開口部を塞ぐための開閉板と、
前記開閉板が回動可能に設けられ前記開口部の周縁の取付範囲にそこから出ないように取付可能な枠体と、
前記開閉板が前記開口部を延長した空間に存在しないように開いた状態を維持する開手段と、
前記開手段が解除されたときに前記開閉板で前記開口部を密閉するために介在させるシール材と、を有し、
前記開手段は、前記枠体に固定された支持材に係止することで前記開閉板を水平に保持し、前記ブローアウトパネルが開放された後に前記支持材への係止が外れた前記開閉板を前記シール材に押し付けるための弾性体を備える、
ことを特徴とする遮蔽扉。
【請求項２】
建屋に複数配置されたブローアウトパネルが開放された後の一の開口部を塞ぐための開閉板と、
前記開閉板が回動可能に設けられ前記開口部の周縁の取付範囲にそこから出ないように取付可能な枠体と、
前記開閉板が前記開口部を延長した空間に存在しないように開いた状態を維持する開手段と、
前記開手段が解除されたときに前記開閉板で前記開口部を密閉するために介在させるシール材と、を備え、
前記開手段は、前記枠体に固定された支持材に係止することで前記開閉板を水平に保持し、
前記シール材に傾斜面を設けることにより、前記ブローアウトパネルが開放された後に前記支持材への係止が外れた前記開閉板がその自重によって前記シール材の傾斜面に押し付けられる、
ことを特徴とする遮蔽扉。
【請求項３】
前記シール材は、感圧ゴムであり、前記開閉板による押付圧力を遠隔監視可能に出力する、
ことを特徴とする請求項１又は２に記載の遮蔽扉。